(57)【要約】【課題】ペット用ライフジャケットは犬等のペットが溺れるのを防ぐ機能を提供するものであるが、従来のものは犬等の形態的な特徴に関する配慮が必ずしも充分で無く、その口や鼻は水面間近に位置するため、幼いペットでは力も弱く、わずかな時間でも頭部を水面上に保持しているのが難しいし、また成長したペットでも長時間に及べば、疲労により頭が下がり、口先が水中に没して溺れたり、あるいは高い波を受けて水を飲んで溺れるなどの問題点がある。【解決手段】そこで本発明では、板状浮力体３の両辺から胴部連結部材４Ａ、４Ｂを突設してペットの胴部を保持可能とするとともに、板状浮力体３のペットの頭側に対応する一端側から、一対の頸部連結部材５Ａ、５Ｂを突設してペットの頸部を保持可能としたジャケット本体１において、ペットへ着用した状態で、外側になる頸部連結部材の一方５Ａに、浮力体片６を突設したペット用ライフジャケット１を提案する。【選択図】図３
2008178332.tif 000002
【特許請求の範囲】
【請求項１】
板状浮力体の両辺から胴部連結部材を突設してペットの胴部を保持可能とするとともに、板状浮力体のペットの頭側に対応する一端側から、一対の頸部連結部材を突設してペットの頸部を保持可能としたジャケット本体において、ペットへ着用した状態で、外側になる頸部連結部材の一方に、浮力体片を突設したことを特徴とするペット用ライフジャケット。
【請求項２】
板状浮力体は浮力材を外装材で収納して構成したことを特徴とする請求項１に記載のペット用ライフジャケット。
【請求項３】
板状浮力体は気のうを外装材で収納して構成したことを特徴とする請求項１に記載のペット用ライフジャケット。
【請求項４】
浮力体片は板状浮力体のペットの頭側に対応する一端側に、長さの調節可能な連結部材を介して支持したことを特徴とする請求項１に記載のペット用ライフジャケット。
【請求項５】
浮力体片は連結部材に沿って、移動可能に支持したことを特徴とする請求項４に記載のペット用ライフジャケット。
【発明の詳細な説明】
【技術分野】
【０００１】
本発明は、犬等のペット（愛玩動物）の運動不足を解消する目的でプール等において泳がせる際や、水辺や船上でのペットの安全を確保したり、あるいは水害時の避難に際し着用させるライフジャケット（救命胴衣）に関するものである。
【背景技術】
【０００２】
従来のライフジャケットとしては、人用もペット用も同様、発泡プラスチック等の浮力材や気のうを外装材で収納して浮力体を構成するものが提案されている。例えば特許文献１では複数の浮力材を一つの外装材の内部に収納したライフジャケットが提案されている。
【特許文献１】特開平１１−２９１９８２号
【発明の開示】
【発明が解決しようとする課題】
【０００３】
ペット用ライフジャケットは犬等のペットが溺れるのを防ぐ機能を提供するものであるが、従来のものは犬等の形態的な特徴に関する配慮が必ずしも充分で無く、例えば長時間の使用において、犬等の安全を充分に確保できないという問題点がある。
【０００４】
人がライフジャケットを着用して水中にいる状態では、立った姿勢のため、口や鼻は水面から充分離れるが、犬等のペットが従来のペット用ライフジャケットを着用して水の中に入ると、背中が横になって、その口や鼻は水面間近に位置することになる。
【０００５】
したがって、幼いペットでは力も弱く、わずかな時間でも頭部を水面上に保持しているのが難しいし、また成長したペットでも長時間に及べば、疲労により頭が下がり、口先が水中に没して溺れたり、あるいは高い波を受けて水を飲んで溺れるなどの問題点がある。
【課題を解決するための手段】
【０００６】
以上の課題を解決するために，本発明では、板状浮力体の両辺から胴部連結部材を突設してペットの胴部を保持可能とするとともに、板状浮力体のペットの頭側に対応する一端側から、一対の頸部連結部材を突設してペットの頸部を保持可能としたジャケット本体において、ペットへ着用した状態で、外側になる頸部連結部材の一方に、浮力体片を突設したペット用ライフジャケットを提案する。
【０００７】
また、本発明は上記構成において、板状浮力体は浮力材を外装材で収納して構成したペット用ライフジャケットを提案する。
【０００８】
また、本発明は上記構成において、板状浮力体は気のうを外装材で収納して構成したペット用ライフジャケットを提案する。
【０００９】
また、本発明は上記構成において、浮力体片は板状浮力体のペットの頭側に対応する一端側に、長さの調節可能な連結部材を介して支持したペット用ライフジャケットを提案する。
【００１０】
また、本発明は上記構成において、浮力体片は連結部材に沿って、移動可能に支持したことを特徴とするペット用ライフジャケットを提案する。
【発明の効果】
【００１１】
本発明のペット用ライフジャケットは、板状浮力体の両辺から胴部連結部材を突設してペットの胴部を保持可能とするとともに、板状浮力体のペットの頭側に対応する一端側から、一対の頸部連結部材を突設してペットの頸部を保持可能としたジャケット本体において、ペットへ着用した状態で、外側になる頸部連結部材の一方に、浮力体片を突設したので、ペットがこのライフジャケットを着用して水中に入ると、浮力体片が水面上に浮かぶ。
【００１２】
そして、この着用時においては、頸部連結部材は連結した状態で、ペットの首回りに位置して、ペットの頸部を保持する。この状態で、頸部連結部材の外側になる一方に突設した浮力体片がペットの顎下に位置するようにしておけば、ペットの顎を支えることができるので、したがってペットの頭部、すなわち口や鼻を常に水面上に保持しておくことができる。
【００１３】
この結果、幼いペットが力尽きてその口や鼻が水中に没しようとしても、これを防ぐことができるし、また成長したペットでも長時間の疲労により頭が下がり口や鼻が水中に没しようとしても、これを防ぐことができる。
【００１４】
以上のように、本発明はペット用ライフジャケットの救助性能を飛躍的に高める効果がある。
【００１５】
なお、板状浮力体はポリウレタンや発泡スチロール等の浮力材を外装材で収納して構成してもよいし、また空気やガスを封入済み、または封入可能な気のうを外装材で収納して構成しても、本発明の効果は同様である。
【００１６】
浮力体片は水中での使用時において、ペットの頭部を水面上に保持しうる浮力を有するのであれば、適宜な形状や材質で良く、例えば板状のポリウレタンや発泡スチロール等の浮力材をポリエステル繊維やレーヨン繊維等の外装材で収納して、これを頸部連結部材に縫い付けて突設すれば、加工が容易で手間があまりかからないので、安価で救助性能の高いペット用ライフジャケットが提供できる。なお、浮力体片は空気やガスを封入済み、もしくは封入可能な気のうを外装材で収納して構成しても良いことはもちろんである。
【００１７】
浮力体片を上記のように、頸部連結部材に縫い付けて突設すれば、安価に構成できるが、浮力体片が頸部連結部材に固定されるので、着用可能な首回りサイズの範囲をあまり広くできないという制約がある。
【００１８】
例えば中型のペットを着用対象にしたものは、その使用時において、浮力体片がペットの顎下にちょうど合うようになっているが、これを大型のペットや小型のペットが着用すると、中型のペットと首回りサイズが異なるので、使用時における浮力体片がペットの顎下位置からずれてしまい、したがって充分な救助性能を発揮することができない。
【００１９】
一方、浮力体片を板状浮力体のペットの頭側に対応する一端側に、長さの調節可能な連結部材を介して支持した、本発明のペット用ライフジャケットにおいては、浮力体片は頸部連結部材に固定されていないので、首回りサイズにあまり影響されずに、連結部材の長さを長さ調節部材１９により調節して、浮力体片が使用時にペットの顎下の適正な位置になるように調整しておくことができる。したがって、このように構成すれば、着用可能な首回りサイズの範囲を広くすることができる。
【００２０】
長さの調節可能な連結部材としては、例えばバックルの雄部と雌部のそれぞれを、板状浮力体の肩部に帯状体または紐状体を介して取付けて構成し、浮力体片はこの連結部材の帯状体に縫い付けたり、あるいは連結部材に面ファスナの一方側を設けるとともに、浮力体片に面ファスナの他方側を設け、さらに連結部材の面ファスナを浮力体片の面ファスナよりも充分長くすれば、浮力体片を連結部材に沿って、容易に移動できる構成とすることができるので、したがって浮力体片の位置調整をより簡単にしうるという効果がある。
【発明を実施するための最良の形態】
【００２１】
次に本発明の実施の形態を添付図面を参照して説明する。
図１〜図５は本発明に係る実施の一形態を示すもので、図１は本発明のペット用ライフジャケット１をペット２に着せた状態の側面図的説明図、図２は図１のＡ方向から見た平面図的説明図、図３は図１のＡ方向から見た本発明のペット用ライフジャケット１を展開するとともに、ペット２を省略した平面図的説明図、図４は図３のＢ−Ｂ線断面図であり、図５は図３のＣ−Ｃ線断面図である。
【００２２】
前記実施の一形態において、本発明のペット用ライフジャケット１は板状浮力体３の両辺から胴部連結部材４（４Ａ、４Ｂ）を突設してペット２の胴部を保持可能とするとともに、板状浮力体３のペットの頭側に対応する一端側から、一対の頸部連結部材５（５Ａ、５Ｂ）を突設してペット２の頸部を保持可能としたジャケット本体１において、ペット２に着用した状態で、外側になる頸部連結部材の一方５Ａに、浮力体片６を突設したものである。
【００２３】
板状浮力体３はポリウレタンや発泡スチロール等の浮力材７をポリエステル繊維やレーヨン繊維等の外装材８で収納して構成しても良いし、あるいは空気やガスを封入済み、または封入可能な気のう（図示省略）を外装材８で収納して構成しても良い。
【００２４】
そして、浮力体片６についても同様に、ポリウレタンや発泡スチロール等の浮力材９をポリエステル繊維やレーヨン繊維等の外装材１０で収納して構成したが、空気やガスを封入済み、または封入可能な気のう（図示省略）を外装材１０で収納して構成しても良い。
【００２５】
ライフジャケット１をペット２に着用させるには、まずライフジャケット１をペット２に被せてから、バックル１１や面ファスナ１２等で構成した胴部連結部材４Ａと４Ｂを連結して、ペット２の胴部を保持する。そして、内側となる頸部連結部材５Ｂをペット２の頸部に回してから頸部連結部材５Ａをその上に回して外側に位置するようにし、、５Ａの裏側の面ファスナ（図示省略）を５Ｂの表側の面ファスナ１３に接合させ、さらにバックル１４を締めて、ペット２の頸部を保持する。
【００２６】
このような着用状態でペット２が水中に入ると、浮力体片６がペット２の顎下に位置するので、その浮力によりペット２の顎を支えて、ペット２の頭部、すなわち口や鼻を常に水面上に保持しておくことができる。
【００２７】
図６は実施の他の形態を示すもので、浮力体片６は板状浮力体３のペット２の頭側に対応する一端側に、長さの調節可能な連結部材１８を介して支持した構成である。
【００２８】
本実施形態では、連結部材１８は、バックルの雄部１５Ａと雌部１５Ｂのそれぞれを、板状浮力体３の肩部３Ａ、３Ｂに帯状体１６Ａ、１６Ｂを介して取付けて構成している。そして、連結部材１８に面ファスナの一方側１７Ａを設けるとともに、浮力体片６に面ファスナの他方側１７Ｂを設けてある。連結部材１８の面ファスナ１７Ａは浮力体片６の面ファスナ１７Ｂよりも充分長くしてあるので、浮力体片６は連結部材１８に沿って、移動可能である。さらにバックル１５において帯状体１６の長さを調節できるので、この結果、連結部材１８の長さの調節は容易であり、したがってペット２の首回りサイズにあまり影響されずに、使用時における浮力体片６を適正な位置に調節することができる。
【００２９】
図７は他の実施形態であって、これは、帯状体片１６を保持部材２０を介して帯状体１６Ａに取り付けた形態を示す。この場合、帯状体１６Ｃの面ファスナー１７Ａ，１７Ｂにより、浮力体片６を所望一に位置決め固定する。
【００３０】
図８は、図７の場合において、帯状体１６の両側に、バックル１５Ａ，１５Ｂを設けて取り外し自在とした例を示す。
【産業上の利用可能性】
【００３１】
以上のように、本発明のペット用ライフジャケットは、プールや水辺あるいは船上において、さらには水害時の避難に際しペットに着用させて、飼い主にとってはとても大切なペットの生命を守るライフジャケットの救助性能を飛躍的に高めるので、その産業上の利用可能性はきわめて大である。
【図面の簡単な説明】
【００３２】
【図１】本発明のペット用ライフジャケットをペットに着せた状態の側面図的説明図。
【図２】図１のＡ方向から見た平面図的説明図。
【図３】図１のＡ方向から見た本発明のペット用ライフジャケット１を展開するとともに、ペット２を省略した平面図的説明図。
【図４】図３のＢ−Ｂ線断面図。
【図５】図３のＣ−Ｃ線断面図。
【図６】他の実施の形態を示す要部の斜視図的説明図。
【図７】他の実施の形態を示す要部の斜視図的説明図。
【図８】他の実施の形態を示す要部の斜視図的説明図。
【符号の説明】
【００３３】
１                本発明のライフジャケット
２                ペット（犬、猫等）
３                板状浮力体
３Ａ、３Ｂ    板状浮力体の肩部
４（４Ａ、４Ｂ）  胴部連結部材
５（５Ａ、５Ｂ）  頸部連結部材
６                浮力体片
７、９            浮力材
８、１０          外装材
１１、１４        バックル
１２、１３        面ファスナ
１５（１５Ａ、１５Ｂ）    バックル
１６（１６Ａ、１６Ｂ、１６Ｃ）    帯状体
１７（１７Ａ、１７Ｂ）    面ファスナ
１８              連結部材
１９              長さ調節部材
２０              保持部材
【図１】
2008178332.tif 000003
【図２】
2008178332.tif 000004
【図３】
2008178332.tif 000005
【図４】
2008178332.tif 000006
【図５】
2008178332.tif 000007
【図６】
2008178332.tif 000008
【図７】
2008178332.tif 000009
【図８】
2008178332.tif 000010